(57)【要約】【課題】  トレイを円滑に前後進させて水平に保持すること。【解決手段】  ローディング時に、ターンテーブル５によりディスクＤを高速回転させて、該ディスクＤに記録されている情報を光ピックアップ６で読み取り、アンローディング時に、ターンテーブル５を下降させてディスクＤをトレイ２上に載置し、該トレイ２を最前進ａ位置で停止させてオープン状態にするようにしたディスク装置において、トレイ２の後端縁両側にそれぞれ前後進ａ，ｂ方向に沿って一対のスリット１２が所定間隔をおいて形成されることにより該各一対のスリット１２間に弾性変位可能な左右一対の弾性片１３が切り残されており、その一対の弾性片１３の突起部１３ａをアンローディング時に横桁８の下面８ａに当接させるようにした。【選択図】        図１
2012099184.tif 000002
【特許請求の範囲】
【請求項１】
ローダーシャーシの両側板間にディスク載置用トレイが前後進可能に配置され、該トレ
イの両側縁後端に一対のロック片が一体突設されると共に、該各ロック片に対向してロー
ダーシャーシの両側板の前部に一対のストッパ片が一体突設され、ローダーシャーシ内に
ターンテーブルとディスクの半径方向に移動可能な光ピックアップとが配置され、ターン
テーブルに対向するクランパがローダーシャーシの両側板間に架設した横桁に一定範囲内
昇降可能に配置されており、ローディング時に、ターンテーブルによりディスクを高速回
転させて、該ディスクに記録されている情報を光ピックアップで読み取り、アンローディ
ング時に、ターンテーブルを下降させてディスクをトレイ上に載置し、該トレイを前進さ
せ、各ロック片を各ストッパ片に当接させることにより、トレイを最前進位置で停止させ
てオープン状態にするようにしたディスク装置において、前記トレイの後端縁両側にそれ
ぞれ前後進方向に沿って一対のスリットが所定間隔をおいて形成されることにより該各一
対のスリット間に弾性変位可能な左右一対の弾性片が切り残されており、その一対の弾性
片をアンローディング時に前記横桁の下面に当接させるようにしたことを特徴とするディ
スク装置。
【請求項２】
前記一対の弾性片の遊端に突起部が一体突設され、該各突起部に対向して前記横桁の下
面の後端縁からその下面の中央まで凹溝が形成され、  該各凹溝の奥端に傾斜面が形成さ
れており、アンローディング時に、トレイを前進させることにより、一対の弾性片の突起
部が各凹溝内を通過し傾斜面上を通って横桁の下面に当接されるようにしたことを特徴と
する請求項１に記載のディスク装置。
【発明の詳細な説明】
【技術分野】
【０００１】
本発明は、例えばＢｌｕ−ｒａｙ  Ｄｉｓｃ式のレコーダ（またはプレーヤ）などのデ
ィスク装置に関し、特に、トレイを円滑に前後進させて水平に保持することができるよう
にしたものである。
【背景技術】
【０００２】
従来、ディスク装置の一例として特許文献１に記載したものがあり、これは、図７のロ
ーディング状態及び図８のアンローディング状態に示すように、合成樹脂製ローダーシャ
ーシ１内にディスクＤ載置用合成樹脂製トレイ２が前後進ａ，ｂ可能の配置され、該トレ
イ２の両側縁後端に一対のロック片３が一体突設されると共に、該各ロック片３に対向し
てローダーシャーシ１の両側板１ａの前部に一対のストッパ片４が一体突設され、ローダ
ーシャーシ１内にターンテーブル５とディスクＤの半径方向に移動可能な光ピックアップ
６とが配置され、ターンテーブル５に対向するクランパ７がローダーシャーシ１の両側板
１ａ間に架設した横桁８に一定範囲内昇降可能に配置され、トレイ２の後端部上面に一体
突設されて該トレイ２と横桁８との間の空隙９内に進入可能な左右一対のガイドリブ１０
が設けられている。
【０００３】
上記構成において、ローディング状態では、図７（ａ）及び（ｂ）に示すように、トレ
イ２がローダーシャーシ１内に収納され、ターンテーブル５とクランパ７とでディスクＤ
がクランプされ、該ターンテーブル５により高速回転させたディスクＤに対して光ピック
アップ６からレーザ光を投射し、その反射光に基づいてディスクＤに記録されている情報
を読み取る。
【０００４】
アンローディング時には、ターンテーブル５を下降させてディスクＤをトレイ２上に載
置し、該トレイ２を前進ａさせ、そのトレイ２が最前進ａ位置に達すると、図８（ａ）及
び（ｂ）に示すように、各ロック片３を各ストッパ片４に当接させ、トレイ２を最前進ａ
位置で停止させてオープン状態にする。このトレイオープン状態では、図８（ｃ）に示す
ように、各ガイドリブ１０を横桁８の下面８ａに当接させることにより、トレイ２の先端
側が自重により垂れ下がらないようにしている。
【先行技術文献】
【特許文献】
【０００５】
【特許文献１】特開２００７−１４１３５８号公報
【発明の概要】
【発明が解決しようとする課題】
【０００６】
上記従来の構成では、図８（ｃ）に示すように、トレイオープン状態で、各ガイドリブ
１０を横桁８の下面８ａに当接させることにより、トレイ２の下面後端とローダーシャー
シ１との間に隙間αが生じるため、そのトレイオープン状態からトレイ２を後進ｂさせる
際に、該トレイ２が上下に動揺されて安定的に後進ｂさせることができず、外観上の体裁
を良好に維持することが困難である。
【０００７】
アンローディング時に、各ロック片３が各ストッパ片４に衝撃的に当たるため、比較的
大きな当接音が発生し、ユーザに不快感を与える。
【０００８】
本発明は、上記従来の欠点に鑑み、トレイを円滑に前後進させて水平に保持することが
できるようにしたディスク装置を提供することを目的としている。
【課題を解決するための手段】
【０００９】
上記目的を達成するため、請求項１に記載の発明は、ローダーシャーシの両側板間にデ
ィスク載置用トレイが前後進可能に配置され、該トレイの両側縁後端に一対のロック片が
一体突設されると共に、該各ロック片に対向してローダーシャーシの両側板の前部に一対
のストッパ片が一体突設され、ローダーシャーシ内にターンテーブルとディスクの半径方
向に移動可能な光ピックアップとが配置され、ターンテーブルに対向するクランパがロー
ダーシャーシの両側板間に架設した横桁に一定範囲内昇降可能に配置されており、ローデ
ィング時に、ターンテーブルによりディスクを高速回転させて、該ディスクに記録されて
いる情報を光ピックアップで読み取り、アンローディング時に、ターンテーブルを下降さ
せてディスクをトレイ上に載置し、該トレイを前進させ、各ロック片を各ストッパ片に当
接させることにより、トレイを最前進位置で停止させてオープン状態にするようにしたデ
ィスク装置において、前記トレイの後端縁両側にそれぞれ前後進方向に沿って一対のスリ
ットが所定間隔をおいて形成されることにより該各一対のスリット間に弾性変位可能な左
右一対の弾性片が切り残されており、その一対の弾性片をアンローディング時に前記横桁
の下面に当接させるようにしたことを特徴としている。
【００１０】
請求項２に記載の発明は、請求項１に記載の発明において、前記一対の弾性片の遊端に
突起部が一体突設され、該各突起部に対向して前記横桁の下面の後端縁からその下面の中
央まで凹溝が形成され、  該各凹溝の奥端に傾斜面が形成されており、アンローディング
時に、トレイを前進させることにより、一対の弾性片の突起部が各凹溝内を通過し傾斜面
上を通って横桁の下面に当接されるようにしたことを特徴としている。
【発明の効果】
【００１１】
請求項１に記載の発明によれば、トレイオープン状態で、左右一対の弾性片を横桁の下
面に当接させることによりばね反発力を発生させており、そのばね反発力とトレイ及びそ
の上のディスクの重量とをバランスさせることにより、トレイの先端側が自重により垂れ
下がるのを阻止して、該トレイを水平状態に保持することができると共に、そのトレイの
下面がローダーシャーシに押し付けられているから、トレイオープン状態からトレイを後
進させる際に、該トレイを上下に動揺させることなく安定的に後進させることができ、外
観上の体裁を良好に維持することができる。
【００１２】
アンローディング時に、各弾性片が横桁の下面に当接してトレイの前進にブレーキがか
かるから、各ロック片が各ストッパ片に衝撃的に当たらず、その当接音が極めて小さくな
り、ユーザに不快感を与えることがない。
【００１３】
請求項２に記載の発明によれば、一対の弾性片の遊端に一体突設した突起部に対向して
横桁の下面の後端縁からその下面の中央まで凹溝が形成されているので、アンローディン
グ時に、トレイを最前進させる直前までは、一対の弾性片の突起部を横桁の下面に対して
非接触状態にして、該トレイを円滑に前進させ、そのトレイを最前進させたときだけ、一
対の弾性片の突起部を横桁の下面に当接させて、所定圧のばね反発力を確実に発生させる
ことができる。
【図面の簡単な説明】
【００１４】
【図１】本発明の実施の一形態であるディスク装置の平面図である。
【図２】図１のＡ−Ａ矢視図である。
【図３】図１のＢ−Ｂ矢視図である。
【図４】（ａ）は図１のＣ−Ｃ矢視図、（ｂ）は同アンローディング状態の縦断面図である。
【図５】同要部の斜視図である。
【図６】同要部の拡大縦断面図である。
【図７】（ａ）は従来例のローディング状態の平面図、（ｂ）は同状態の側面図である。
【図８】（ａ）は従来例のアンローディング状態の平面図、（ｂ）は同状態の側面図、（ｃ）は同状態の要部の拡大縦断面図である。
【発明を実施するための形態】
【００１５】
図１〜図５に示すように、トレイ２の後端縁両側にそれぞれ前後進ａ，ｂ方向に沿って
一対のスリット１２が所定間隔をおいて形成されることにより該各一対のスリット１２間
に弾性変位可能な左右一対の弾性片１３が切り残され、該各弾性片１３の遊端に横断面半
円形状突起部１３ａが一体突設され、該各突起部１３ａに対向して横桁８の下面８ａの後
端縁からその下面８ａの中央まで凹溝１４が形成され、該各凹溝１４の奥端に傾斜面１５
が形成されている。
【００１６】
図２中、１７はトラバースシャーシであって、後部がゴムからなる後側弾性体１８を介
してローダーシャーシ１に上下動ｃ，ｄに連結されたシャーシ本体１７ａと、該シャーシ
本体１７ａの前部にゴムからなる前側弾性体１９を介して連結されたレバーシフト１７ｂ
とからなり、シャーシ本体１７ａ上にターンテーブル５付きスピンドルモータ２０と光ピ
ックアップ６とが配置されている。
【００１７】
図２に示すように、ローダーシャーシ１の前部にカムスライダ２２が前後進ａ，ｂ方向
とは直交する左右方向ｅ，ｆにスライド可能に配置され、該カムスライダ２２に形成した
カム溝２３ａと、レバーシフト１７ｂに突設されてカム溝２３ａに嵌入するカムピン２３
ｂとからなるカム機構２３によりカムスライダ２２とレバーシフト１７ｂとが連動連結さ
れている。
【００１８】
図３に示すように、ローダーシャーシ１内の棚部１ｂ上に複数のレール片２５ａからな
る左右一対のガイドレール２５が前後進ａ，ｂ方向に沿って一体突設され、該各ガイドレ
ール２５から上方に所定のクリアランスをおいて複数の押さえ片２６が各側板１ａに一体
突設されており、各ガイドレール２５と各押さえ片２６との間にトレイ２が前後進ａ，ｂ
可能に挿入されている。
【００１９】
図１に示すように、ローダーシャーシ１の前部に第１ピニオン２８が正逆回転ｇ，ｈ可
能に配置され、該第１ピニオン２８に噛合可能なトレイラック２９がトレイ２の下面に前
後進ａ，ｂ方向に沿って一体突設され、その第１ピニオン２８に同心状に一体形成した第
２ピニオン３０に噛合可能なカムラック（図示せず）がカムスライダ２２に一体突設され
ている。上記以外の構成は図７及び図８に示す構成とほぼ同じであるから、同一部分に同
一符号を付してその説明を省略する。
【００２０】
上記構成において、ローディング状態では、図１〜図３及び図４（ａ）に示すように、
トレイ２がローダーシャーシ１内に収納され、ターンテーブル５とクランパ７とでディス
クＤがクランプされ、スピンドルモータ２０によりターンテーブル５を介して高速回転さ
せたディスクＤに対して光ピックアップ６からレーザ光を投射し、その反射光に基づいて
ディスクＤに記録されている情報を読み取る。
【００２１】
アンローディング時には、光ピックアップ６をディスクＤの内周側に移動させ、カムス
ライダ２２のカムラック（図示せず）を第２ピニオン３０に噛合させた状態で、該第２ピ
ニオン３０を正転ｈさせることにより、カムスライダ２２を矢印ｅ方向にスライドさせ、
カム機構２３を介してトラバースシャーシ１７を下動ｄさせ（図２仮想線参照）、ターン
テーブル５上のディスクＤをトレイ２上に載置させる。
【００２２】
続いて、トレイ２をわずかに前進ａさせてトレイラック２９が第１ピニオン２８に噛合
され、該第１ピニオン２８の正転ｈにより、トレイ２を前進ａさせる。
【００２３】
トレイ２の前進ａにより、図６に示すように、一対の弾性片１３の突起部１３ａが各凹
溝１４内を通過し傾斜面１５上を通って横桁８の下面８ａに当接され、その一対の弾性片
１３が撓んで、ばね反発力Ｐを発生させる。
【００２４】
その後、トレイ２が最前進ａ位置に達すると、各ロック片３を各ストッパ片４に当接さ
せ、トレイ２を最前進ａ位置で停止させてオープン状態にする（図１仮想線参照）。
【００２５】
図４（ｂ）に示すように、ばね反発力Ｐの荷重点ｔ１からトレイ２とガイドレール２５
との接点Ｏまでの距離をｈ１とし、トレイ２及びその上のディスクＤ（１２ｃｍの大型デ
ィスクＤ）の重量Ｆの重心位置ｔ２から接点Ｏまでの距離をｈ２とした場合、Ｐ＝Ｆ×ｈ
２／ｈ１となるように設定しており、これによって、トレイ２を水平状態に保持して、該
トレイ２の先端側が垂れ下がらないようにしている。
【００２６】
上記構成によれば、トレイオープン状態で、左右一対の弾性片１３の突起部１３ａを横
桁８の下面８ａに当接させることにより発生させたばね反発力Ｐとトレイ２及びその上の
ディスクＤの重量Ｆとをバランスさせることにより、トレイ２の先端側が自重により垂れ
下がるのを阻止して、該トレイ２を水平状態に保持することができると共に、そのトレイ
２の下面がガイドレール２５を介してローダーシャーシ１に押し付けられているから、ト
レイオープン状態からトレイ２を後進ｂさせる際に、該トレイ２を上下に動揺させること
なく安定的に後進させることができ、外観上の体裁を良好に維持することができる。
【００２７】
アンローディング時に、各弾性片１３が横桁８の下面８ａに当接してトレイ２の前進ａ
にブレーキがかかるから、各ロック片３が各ストッパ片４に衝撃的に当たらず、その当接
音が極めて小さくなり、ユーザに不快感を与えることがない。
【００２８】
しかも、一対の弾性片１３の遊端に一体突設した突起部１３ａに対向して横桁８の下面
８ａの後端縁からその下面８ａの中央まで凹溝１４が形成されているので、アンローディ
ング時に、トレイを最前進ａさせる直前までは、一対の弾性片１３の突起部１３ａを横桁
８の下面８ａに対して非接触状態にして、該トレイ２を円滑に前進ａさせ、そのトレイ２
を最前進ａさせたときだけ、一対の弾性片１３のトレイ２を横桁８の下面８ａに当接させ
て、所定圧のばね反発力Ｐを確実に発生させることができる。
【符号の説明】
【００２９】
１          ローダーシャーシ
１ａ        ローダーシャーシの側板
２          トレイ
３          ロック片
４          ストッパ片
５          ターンテーブル
６          光ピックアップ
７          クランパ
８          横桁
８ａ        横桁の下面
１２        スリット
１３        弾性片
１３ａ      弾性片の突起部
１４        凹溝
１５        傾斜面
Ｄ          ディスク
ａ，ｂ      前後進
【図１】
2012099184.tif 000003
【図２】
2012099184.tif 000004
【図３】
2012099184.tif 000005
【図４】
2012099184.tif 000006
【図５】
2012099184.tif 000007
【図６】
2012099184.tif 000008
【図７】
2012099184.tif 000009
【図８】
2012099184.tif 000010